【事件の表示】
　特許第３０９６６３２号「システムキッチン用キャビネット」の請求項１に係る特許に対する特許異議の申立てについて、次のとおり決定する。
【結　論】
　訂正を認める。
　特許第３０９６６３２号の請求項１に係る特許を維持する。
【理　由】
１．手続の経緯
　本件特許第３０９６６３２号に係る出願は、平成８年３月２８日の出願であって、平成１２年８月４日に特許の設定登録がなされ、その後、飯野節子から特許異議の申立がなされ、取消理由が通知され、その指定期間内である平成１３年８月２８日に訂正請求がなされたものである。
　
２．訂正の要旨
　訂正事項ａ：特許請求の範囲の請求項１の記載を、次のように訂正する。
【請求項１】　キャビネット本体を左右両側板と、これら両側板間の背面に組付けられる背面板と、前記両側板間の前面上部に組付けられる前板と、前記両側板間の下部に組付けられる底板とで枠組み形成し、この底板を前記左右両側板の奥行き寸法よりも短くして、その背面側端部に垂直桟を前記両側板間の下部に組付ける一方、この垂直桟の上方に前記背面板の下端部が支持される水平桟を前記両側板間に組付け、この水平桟の下面部と前記垂直桟の背面部とで区画形成される前記キャビネット本体の背面側下部空間を配管スペースとするとともに、前記垂直桟の上端部と水平桟の前端部との間に前記左右両側板間の間口寸法全域に亘って開口形成される間隙を点検口として、この点検口に施蓋部材をキャビネット内側から取外し可能に設け、前記水平桟に排水管の貫通孔を設けたことを特徴とするシステムキッチン用キャビネット。
　訂正事項ｂ：明細書の段落【０００６】の記載を、次のように訂正する。
【課題を解決するための手段】　上記した課題を解決するために、この発明は、キャビネット本体を左右両側板と、これら両側板間の背面に組付けられる背面板と、前記両側板間の前面上部に組付けられる前板と、前記両側板間の下部に組付けられる底板とで枠組み形成し、この底板を前記左右両側板の奥行き寸法よりも短くして、その背面側端部に垂直桟を前記両側板間の下部に組付ける一方、この垂直桟の上方に前記背面板の下端部が支持される水平桟を前記両側板間に組付け、この水平桟の下面部と前記垂直桟の背面部とで区画形成される前記キャビネット本体の背面側下部空間を配管スペースとするとともに、前記垂直桟の上端部と水平桟の前端部との間に前記左右両側板間の間口寸法全域に亘って開口形成される間隙を点検口として、この点検口に施蓋部材をキャビネット内側から取外し可能に設け、前記水平桟に排水管の貫通孔を設けてなる構成としたものである。
　訂正事項ｃ：明細書の段落【００１８】の記載を、次のように訂正する。
　また、垂直桟の上端部と水平桟の前端部との間に前記左右両側板間の間口寸法全域に亘って開口形成される間隙を点検口として、この点検口に施蓋部材をキャビネット内側から取外し可能に設け、前記水平桟に排水管の貫通孔を設けてなるために、点検口が両側板間の間口寸法全域（キャビネット間口）に亘って大きく開口形成され、これによって、施蓋部材を取外して配管スペース内の排水配管や点検保守などを行なう際の作業を容易に行なうことができる。　
　
３．訂正の適否
（１）訂正の目的の適否、新規事項の有無及び拡張・変更の存否
　上記訂正事項ａに係る訂正は、特許請求の範囲の減縮を目的とするものであり、願書に添付した明細書又は図面に記載した事項の範囲内のものであり、さらに、実質上特許請求の範囲を拡張し、又は変更するものではない。
　また、訂正事項ｂ、ｃに係る訂正は、訂正事項ａに関連してなされた明りょうでない記載の釈明に該当し、願書に添付した明細書又は図面に記載した事項の範囲内のものであり、さらに、実質上特許請求の範囲を拡張し、又は変更するものではない。
　したがって、上記訂正は、特許法第１２０条の４第２項及び第３項で準用する特許法第１２６条第２項および第３項の規定に適合するので、当該訂正を認める。
　
４．異議の申立てについての判断
（１）本件訂正後発明
　本件訂正明細書の請求項１に係る発明は、訂正明細書の特許請求の範囲の請求項１に記載された下記の事項により特定されるとおりのものである（以下、「訂正後発明１」という。）。
【請求項１】　キャビネット本体を左右両側板と、これら両側板間の背面に組付けられる背面板と、前記両側板間の前面上部に組付けられる前板と、前記両側板間の下部に組付けられる底板とで枠組み形成し、この底板を前記左右両側板の奥行き寸法よりも短くして、その背面側端部に垂直桟を前記両側板間の下部に組付ける一方、この垂直桟の上方に前記背面板の下端部が支持される水平桟を前記両側板間に組付け、この水平桟の下面部と前記垂直桟の背面部とで区画形成される前記キャビネット本体の背面側下部空間を配管スペースとするとともに、前記垂直桟の上端部と水平桟の前端部との間に前記左右両側板間の間口寸法全域に亘って開口形成される間隙を点検口として、この点検口に施蓋部材をキャビネット内側から取外し可能に設け、前記水平桟に排水管の貫通孔を設けたことを特徴とするシステムキッチン用キャビネット。
　
（２）申立ての理由の概要
　申立人飯野節子は、証拠として、甲第１号証（特開平１−１８７２３５号公報）を提出して、本件請求項１に係る特許発明は、甲第１号証に記載された発明に基づいて、当業者が容易に発明をすることができたものであるから、特許法第２９条第２項の規定により特許を受けることができないものであり、本件の特許を取り消すべきであると主張している。
　
（３）甲第１号証記載の発明
　甲第１号証には、特許請求の範囲、第１頁右下欄第１行から第１１行、第３頁左上欄第２行から同左下欄第１０行の記載及び第２，４図を参照すると、「左右両側板と、両側板間の背面の上端に取り付けられる補強桟と、両側板間の前面上部に設けられる幕板と、幕板下端からシンク下部両側板間に設けられる天板と、両側板間の下部に設けられる底板とでキャビネットを枠組みし、天板及び底板の奥行き寸法は左右両側板の奥行き寸法よりも短くして、シンク下部のキャビネットの背部側空間を配管スペースとし、天板及び底板の背面側端部間に左右両側板間の間口寸法全域に亘って開口形成される間隙を点検口として、この点検口に裏板をキャビネット内側に倒せるように設けた、シンクの奥側の縁の一部を背部方向に膨出形成し、この膨出した部分の底部に排水口を設け、蓋排水口と同様に奥側に偏った位置に水栓を取り付け、更に排水口及び水栓にそれぞれ接続する排水管及び供給配管をシンクに対応して背部領域に配管するシステムキッチン用収納キャビネット」が記載されていると認められる。
　
（４）対比・判断　
　本件訂正後発明１と、甲第１号証に記載された発明とを比較すると、甲第１号証に記載された発明の「幕板」、「キャビネット」、「裏板」、「システムキッチン用収納キャビネット」は、それぞれの機能に照らし、各々、訂正後発明１の「前板」、「キャビネット本体」、「施蓋部材」、「システムキッチン用キャビネット」に相当し、甲第１号証に記載された発明の「キャビネット内側に倒せるように設けた」と、訂正後発明１の「キャビネット内側から取外し可能に設けた」とは、共に、「点検口が両側板間の間口寸法全域（キャビネット間口）に亘って開口形成されるように設けた」ことであり、甲第１号証に記載された発明の「天板及び底板の背面側端部間に左右両側板間の間口寸法全域に亘って開口形成される間隙」と、訂正後発明１の「垂直桟の上端部と水平桟の前端部との間に左右両側板間の間口寸法全域に亘って開口形成される間隙」は、共に、「配管スペースがキャビネット本体内部に左右両側板間の間口寸法全域に亘って臨む部分」であるから、両者は、キャビネット本体を左右両側板と、この左右両側板間の前面上部に組付けられる前板と、前記左右両側板間の下部に組付けられる底板とで枠組み形成し、この底板を前記左右両側板の奥行き寸法よりも短くして、キャビネット本体の背部側空間を配管スペースとするとともに、配管スペースがキャビネット本体内部に左右両側板間の間口寸法全域に亘って臨む部分を点検口として、この点検口に施蓋部材を点検口が両側板間の間口寸法全域（キャビネット間口）に亘って開口形成されるように設けたシステムキッチン用キャビネットの点で一致し、下記の点で相違している。
ａ．訂正後発明１では、両側板間の背面に背面板が組付けられ、底板背面側端部に垂直桟を両側板間の下部に組付ける一方、この垂直桟の上方に背面板の下端部が支持され、かつ、排水管の貫通孔を設けた水平桟を両側板間に組付け、この水平桟の下面部と垂直桟の背面部とで区画形成される空間（キャビネット本体の背面側下部空間）を配管スペースとし、配管スペースがキャビネット本体内部に左右両側板間の間口寸法全域に亘って臨む部分である点検口が、垂直桟の上端部と水平桟の前端部との間に形成されるのに対し、甲第１号証に記載された発明では、両側板間の背面の上端に補強桟が取り付けられ、幕板下端から両側板の奥行き寸法よりも短い天板をシンク下部両側板間に設けられていて、シンク下部のキャビネットの背面側空間全体を配管スペースとし、配管スペースがキャビネット本体内部に左右両側板間の間口寸法全域に亘って臨む部分である点検口が、天板及び底板の背面側端部間に形成される点。
ｂ．点検口が両側板間の間口寸法全域（キャビネット間口）に亘って開口形成されるように施蓋部材を、訂正後発明１では、キャビネット内側から取外し可能に設けたのに対し、甲第１号証に記載された発明では、キャビネット内側に倒せるように設けた点。
　上記相違点ｂについて検討すると、相違点ｂにおいて、いずれの施蓋部材も、点検口が両側板間の間口寸法全域（キャビネット間口）に亘って開口形成されるようにしており、キャビネット内側から取外し可能に設けるか、キャビネット内側に倒せるように設けかは、当業者が適宜なしうる程度のことである。
　また、相違点ａにおける構成の相違は、配管スペースを、訂正後発明１においては、キャビネット本体の背面側下部空間としているのに対し、甲第１号証に記載された発明においては、シンク下部のキャビネットの背面側空間全体としていることによって生じる相違と解されるが、いずれもシンクの奥行き寸法を制限することなく形成される配管スペースである。しかしながら、甲第１号証に記載された発明では、シンクの奥側の縁の一部を背部方向に膨出形成し、この膨出した部分の底部に排水口を設け、蓋排水口と同様に奥側に偏った位置に水栓を取り付けた構成の設備とすることによって、配管スペースをシンク下部のキャビネットの背面側空間全体としており、従来の構成の設備では適用できないのに対し、訂正後発明１においては、甲第１号証に記載された発明のように限定された構成の設備でなくとも適用できるものである。そして、訂正後発明１は、当該事項によって明細書記載の作用効果を奏するものであるから、訂正後発明１は、甲第１号証に記載された発明に基づいて、当業者が容易に発明をすることができたものであるとはいえない。
　
５．むすび
　以上のとおりであるから、異議申立ての理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１３年９月２８日（２００１．９．２８）
【訂正の要旨】
訂正の要旨
　特許第３０９６６３２号の明細書を、特許請求の範囲の減縮を目的として訂正事項ａのように、また、訂正事項ａに関連してなされた明瞭でない記載の釈明を目的として訂正事項ｂ、ｃのように訂正する。
　訂正事項ａ：特許請求の範囲の請求項１の記載を、次のように訂正する。
　【請求項１】　キャビネット本体を左右両側板と、これら両側板間の背面に組付けられる背面板と、前記両側板間の前面上部に組付けられる前板と、前記両側板間の下部に組付けられる底板とで枠組み形成し、この底板を前記左右両側板の奥行き寸法よりも短くして、その背面側端部に垂直桟を前記両側板間の下部に組付ける一方、この垂直桟の上方に前記背面板の下端部が支持される水平桟を前記両側板間に組付け、この水平桟の下面部と前記垂直桟の背面部とで区画形成される前記キャビネット本体の背面側下部空間を配管スペースとするとともに、前記垂直桟の上端部と水平桟の前端部との間に前記左右両側板間の間口寸法全域に亘って開口形成される間隙を点検口として、この点検口に施蓋部材をキャビネット内側から取外し可能に設け、前記水平桟に排水管の貫通孔を設けたことを特徴とするシステムキッチン用キャビネット。
　訂正事項ｂ：明細書の段落【０００６】の記載を、次のように訂正する。
　【課題を解決するための手段】　上記した課題を解決するために、この発明は、キャビネット本体を左右両側板と、これら両側板間の背面に組付けられる背面板と、前記両側板間の前面上部に組付けられる前板と、前記両側板間の下部に組付けられる底板とで枠組み形成し、この底板を前記左右両側板の奥行き寸法よりも短くして、その背面側端部に垂直桟を前記両側板間の下部に組付ける一方、この垂直桟の上方に前記背面板の下端部が支持される水平桟を前記両側板間に組付け、この水平桟の下面部と前記垂直桟の背面部とで区画形成される前記キャビネット本体の背面側下部空間を配管スペースとするとともに、前記垂直桟の上端部と水平桟の前端部との間に前記左右両側板間の間口寸法全域に亘って開口形成される間隙を点検口として、この点検口に施蓋部材をキャビネット内側から取外し可能に設け、前記水平桟に排水管の貫通孔を設けてなる構成としたものである。
　訂正事項ｃ：明細書の段落【００１８】の記載を、次のように訂正する。
　また、垂直桟の上端部と水平桟の前端部との間に前記左右両側板間の間口寸法全域に亘って開口形成される間隙を点検口として、この点検口に施蓋部材をキャビネット内側から取外し可能に設け、前記水平桟に排水管の貫通孔を設けてなるために、点検口が両側板間の間口寸法全域（キャビネット間口）に亘って大きく開口形成され、これによって、施蓋部材を取外して配管スペース内の排水配管や点検保守などを行なう際の作業を容易に行なうことができる。
（５４）【発明の名称】
システムキッチン用キャビネット
（５７）【特許請求の範囲】
　【請求項１】　キャビネット本体を左右両側板と、これら両側板間の背面に組付けられる背面板と、前記両側板間の前面上部に組付けられる前板と、前記両側板間の下部に組付けられる底板とで枠組み形成し、
　この底板を前記左右両側板の奥行き寸法よりも短くして、その背面側端部に垂直桟を前記両側板間の下部に組付ける一方、
　この垂直桟の上方に前記背面板の下端部が支持される水平桟を前記両側板間に組付け、　この水平桟の下面部と前記垂直桟の背面部とで区画形成される前記キャビネット本体の背面側下部空間を配管スペースとするとともに、
前記垂直桟の上端部と水平桟の前端部との間に前記左右両側板間の間口寸法全域に亘って開口形成される間隙を点検口として、この点検口に施蓋部材をキャビネット内側から取外し可能に設け
、
　
前記水平桟に排水管の貫通孔を設け
【発明の詳細な説明】
　【０００１】
　【発明の属する技術分野】
　この発明は、例えば台所設備に用いられるシンク用キャビネット等のシステムキッチン用キャビネットに関し、特に、キャビネット本体の背面側に形成される配管スペース及び点検口の構造に改良を施すことにより、キャビネット本体上部に設置されるシンク等の奥行き寸法の制限をなくすとともに、排水配管作業や点検保守作業を容易に行なえるようにしたものである。
　【０００２】
　【従来の技術】
　従来、この種のシステムキッチン用キャビネット、例えばシンク用キャビネットにおいては、図５に示すように、キャビネット本体ａを左右両側板ｂ，ｂと、これら両側板ｂ，ｂ間の背面側全面に組付けられる背面板ｃと、両側板ｂ，ｂ間の前面上部に組付けられる前板ｉと、両側板ｂ，ｂ間の下部に組付けられる底板ｄとで枠組み形成し、かつ、前記背面板ｃに点検口ｅを抜き孔形成して、この点検口ｅを取外し可能な施蓋部材ｆにて内側から施蓋してなるとともに、背面板ｃの組付け位置を両側板ｂ，ｂの奥行き寸法Ｌよりも約１００ｍｍ程度前方に移行させることにより、室内壁面Ｗと床面Ｆとの間に形成されるキャビネット本体ａの背面側全面空間を配管スペースｇとしてなる構成を有するものがある。
　【０００３】
　【発明が解決しようとする課題】
　しかしながら、このような従来構造のシステムキッチン用キャビネットでは、室内壁面Ｗと床面Ｆとの間に形成されるキャビネット本体ａの配管スペースｇが背面板ｃの全面に形成されていることから、キャビネット本体ａの上部に設置されるシンクｈの奥行き寸法が制限され、シンクｈの奥行きを広くすることができない。
　【０００４】
　しかも、キャビネット本体ａに設けられる点検口ｅが背面板ｃに抜き孔形成されているために、点検口ｅの間口方向の開口寸法が限られているために、施蓋部材ｆを取外して配管スペースｇ内の排水配管などの点検保守を行なう際の作業性が悪い。
　【０００５】
　この発明の目的は、シンク等の奥行き寸法の制限をなくすとともに、排水配管作業や点検保守作業を容易に行なうことができるようにしたシステムキッチン用キャビネットを提供することにある。
　【０００６】
　【課題を解決するための手段】
　上記した課題を解決するために、この発明は、キャビネット本体を左右両側板と、これら両側板間の背面に組付けられる背面板と、前記両側板間の前面上部に組付けられる前板と、前記両側板間の下部に組付けられる底板とで枠組み形成し、この底板を前記左右両側板の奥行き寸法よりも短くして、その背面側端部に垂直桟を前記両側板間の下部に組付ける一方、この垂直桟の上方に前記背面板の下端部が支持される水平桟を前記両側板間に組付け、この水平桟の下面部と前記垂直桟の背面部とで区画形成される前記キャビネット本体の背面側下部空間を配管スペースとするとともに、前記垂直桟の上端部と水平桟の前端部との間に前記左右両側板間の間口寸法全域に亘って開口形成される間隙を点検口として、この点検口に施蓋部材をキャビネット内側から取外し可能に設け
、前記水平桟に排水管の貫通孔を設け
　【０００７】
　【発明の実施の形態】
　以下、この発明の実施の形態を図１から図４に示す図面を参照しながら詳細に説明すると、図１はこの発明に係る台所設備におけるシステムキッチン用キャビネットとしてのシンク用キャビネット、カウンタ、シンク及び扉の全体構成を示す断面図で、図中１はキャビネット本体である。
　【０００８】
　このキャビネット本体１は、図２から図４に示すように、左右両側板２，２と、これら両側板２，２間の前面上部にダボ組み構造にて組付けられる前板３と、前記両側板２，２間の背面に溝嵌め構造にて組付けられる薄板からなる背面板４と、前記両側板２，２間の下部にダボ組み構造にて組付けられる底板５とで基本的に枠組み形成されている。
　【０００９】
　そして、前記底板５は、前記左右両側板２，２の奥行き寸法Ｌよりも約１００ｍｍ程度短くＬ１（Ｌ＞Ｌ１）し、その背面側端部５ａに垂直桟６を前記両側板２，２間の下部にダボ組み構造にて組付けてなる一方、この垂直桟６の上方に前記背面板４の下端部４ａが支持される水平桟７を前記両側板２，２間にダボ組み構造にて組付けることにより、この水平桟７の下面部７ａと前記垂直桟６の背面部６ａとで前記キャビネット本体１の背面側下部空間Ｓを区画形成して室内壁面Ｗと床面Ｆとで囲繞形成される配管スペースとするとともに、前記垂直桟６の上端部６ｂと水平桟７の前端部７ｂとの間に開口形成される間隙を点検口８としてなる構成を有する。
　【００１０】
　前記垂直桟６の上端部６ｂ内側面には、プラスチック製押出し材からなる断面Ｕ字形の点検口蓋用下部固定具９Ａが取り付けられている一方、前記水平桟７の前端部７ｂには、プラスチック製押出し材からなる断面Ｌ字形の点検口蓋用上部固定具９Ｂが取り付けられていて、これら上下両固定具９Ａ，９Ｂ間には、施蓋部材１０の上下両端部１０ａ，１０ｂが取外し可能に支持されて前記点検口８を内側から施蓋するようになっている。
　【００１１】
　なお、図中１１は前記キャビネット本体１の前面下部に設けた幕板、１２及び１３は前記背面板４の背面を補強するように前記両側板２，２間に沿って横架させてタッカーあるいは接着剤にて組付けられた上下両補強桟で、この下部補強桟１３に前記水平桟７をタッカー１４にて互いに連結することにより、前記水平桟７の強度を確保するようになっている一方、前記キャビネット本体１の上面には、カウンタ１５が載置されている。
　【００１２】
　また、図中２０は前記カウンタ１５に取付けられたシンクで、このシンク２０の底部には、排水装置２１を通してフレシキブル管からなる排水管２２が接続され、この排水管２２は、例えば図１に実線にて示すように、前記水平桟７に設けた貫通孔７１を通して前記配管スペースＳ内に配管されるか、あるいは、図１に２点破線で示すように、前記施蓋部材１０に設けた貫通孔（図示せず）を通して前記配管スペースＳ内に配管されるようになっている。
　【００１３】
　さらに、図中３０は前記キャビネット本体１の前面にヒンジ部材３１Ａ，３１Ｂにて開閉自在に組付けられた扉である。
　【００１４】
　すなわち、この発明に係るシステムキッチン用キャビネットは、キャビネット本体１を左右両側板２，２と、これら両側板２，２間の背面に組付けられる背面板４と、両側板２，２間の前面上部に組付けられる前板３と、両側板２，２間の下部に組付けられる底板５とで枠組み形成し、この底板５を左右両側板２，２の奥行き寸法Ｌよりも短くして、その背面側端部５ａに垂直桟６を両側板２，２間の下部に組付ける一方、この垂直桟６の上方に背面板４の下端部４ａが支持される水平桟７を両側板２，２間に組付け、この水平桟７の下面部７ａと垂直桟６の背面部６ａとで区画形成されるキャビネット本体１の背面側下部空間Ｓを配管スペースとしてなるために、シンク２０が設置されるキャビネット本体１の上部の奥行き寸法を両側板２，２の奥行き寸法と略等しくなり、これによって、従前のようなシンク２０の奥行き寸法が制限されることがなくなる。
　【００１５】
　また、垂直桟６の上端部６ｂと水平桟７の前端部７ｂとの間に開口形成される間隙を点検口８とし、この点検口８に施蓋部材１０をキャビネット内側から取外し可能に設けてなるために、点検口８が両側板２，２間の間口寸法全域（キャビネット間口）に亘って大きく開口形成され、これによって、施蓋部材１０を取外して配管スペースＳ内の排水配管や点検保守などを行なう際の作業が容易に行なえる。
　【００１６】
　ところで、前記点検口８に施蓋部材１０をキャビネット内側から取外し可能に施蓋するには、前記垂直桟６の上端部６ｂのキャビネット内側面に断面Ｕ字形の点検口蓋用下部固定具９Ａを取り付け、この点検口蓋用下部固定具９Ａに施蓋部材１０の下端部１０ａを嵌め込んだ後、施蓋部材１０の上端部１０ｂを水平桟７の前端部７ｂにビス締めにより取り付けられる断面Ｌ字形の点検口蓋用上部固定具９Ｂにて保持することにより行なわれ、また、施蓋部材１０の取外しの際には、点検口蓋用上部固定具９Ｂを取り外すことにより行なわれるものである。
　【００１７】
　【発明の効果】
　以上の説明したように、この発明は、キャビネット本体を左右両側板と、これら両側板間の背面に組付けられる背面板と、両側板間の前面上部に組付けられる前板と、両側板間の下部に組付けられる底板とで枠組み形成し、この底板を左右両側板の奥行き寸法よりも短くして、その背面側端部に垂直桟を両側板間の最下部に組付ける一方、この垂直桟の上方に背面板の下端部が支持される水平桟を両側板間に組付け、この水平桟の下面部と垂直桟の背面部とで区画形成されるキャビネット本体の背面側下部空間を配管スペースとしてなるために、シンクが設置されるキャビネット本体の上部の奥行き寸法を両側板の奥行き寸法と略等しくなり、これによって、従前のようなシンクの奥行き寸法が制限されることがなくなる。
　【００１８】
　また、垂直桟の上端部と水平桟の前端部との間に左右両側板間の間口寸法全域に亘って開口形成される間隙を点検口とし、この点検口に施蓋部材をキャビネット内側から取外し可能に設け
、前記水平桟に排水管の貫通孔を設け
【図面の簡単な説明】
　【図１】　この発明に係るシステムキッチンペース部の実施の形態を示す縦断側面図。
　【図２】　同じくキャビネット本体の枠組み状態を示す正面図。
　【図３】　同じくキャビネット本体の枠組み状態を一部分解して示す斜視図。
　【図４】　同じくキャビネット本体の枠組み状態を示す縦断側面図。
　【図５】　従来のシステムキッチン用キャビネットの縦断側面図。
　【符号の説明】
　１・・・キャビネット本体、２，２・・・側板、３・・・前板、４・・・背面板、４ａ・・・下端部、５・・・底板、５ａ・・・背面側端部、６・・・垂直桟、６ａ・・・背面部、６ｂ・・・上端部、７・・・水平桟、７ａ・・・下面部、７ｂ・・・前端部、８・・・点検口、９Ａ，９Ｂ・・・固定具、１０・・・施蓋部材、１５・・・カウンタ、２０・・・シンク、Ｓ・・・背面側下部空間（配管スペース）。